(57)【特許請求の範囲】
【請求項１】
環状に配置される複数のそれぞれのセクタモールドの外周面に取り付けられるセグメントと、上側サイドモールドが取り付けられる昇降プレートと、下側サイドモールドが取り付けられるボトムプレートと、上下移動するコンテナリングとを備え、
前記昇降プレートと前記ボトムプレートの上下間に挟んだ状態のそれぞれの前記セグメントの外周傾斜面を、下方移動する前記コンテナリングの内周傾斜面により押圧することにより、それぞれの前記セクタモールドを、その環状中心線に対して前進させて閉型位置まで移動させて、これらセクタモールドを環状に組み付けてタイヤモールドを閉型する構成にしたタイヤ加硫用コンテナにおいて、
それぞれの前記セグメントが常に前記ボトムプレートに載置された状態であり、これらセグメントを前記環状中心線に対して進退移動させるセグメント移動部を備えて、前記セグメント移動部が、前記ボトムプレートに形成されている埋設スペースに収容されていて上下移動する移動用シリンダと、前記移動用シリンダとそれぞれの前記セグメントの外周面と間に連結されるリンク機構とを備えて、前記リンク機構が、それぞれの前記セグメントの外周面に着脱自在で回転可能に連結されているアームと、このアームと前記移動用シリンダの間に配置されて前記移動用シリンダに回転可能に連結されているアームとを有し、前記移動用シリンダの上下移動に伴って前記リンク機構を介してそれぞれの前記セグメントを前記環状中心線に対して前進させることにより、それぞれの前記セクタモールドを仮閉型位置まで移動させて、それぞれの前記セグメントを前記昇降プレートと前記ボトムプレートの上下間に挟んだ状態にして、この状態のそれぞれの前記セグメントの外周傾斜面を、下方移動する前記コンテナリングの内周傾斜面により押圧してそれぞれの前記セクタモールドを前記閉型位置まで移動させる構成にしたことを特徴とするタイヤ加硫用コンテナ。
【請求項２】
前記移動用シリンダが１つだけ設けられている請求項１に記載のタイヤ加硫用コンテナ。
【請求項３】
前記埋設スペースが前記セグメントと同じ数だけ形成されている請求項１に記載のタイヤ加硫用コンテナ。
【発明の詳細な説明】
【技術分野】
【０００１】
本発明は、タイヤ加硫用コンテナに関し、さらに詳しくは、構成部品の摩耗を低減するとともに、熱エネルギのロスを抑制できるタイヤ加硫用コンテナに関するものである。
【背景技術】
【０００２】
セクショナルタイプのタイヤモールドは、環状に組付けられる複数のセクタモールドと、環状の上下一対のサイドモールドと有している。このタイヤモールドが設置されるタイヤ加硫用コンテナには、それぞれのセクタモールドの外周面に取り付けられるセグメントと、セグメントが吊設されて上側サイドモールドが取り付けられる昇降プレートと、下側サイドモールドが取り付けられるボトムプレートと、上下移動するコンテナリングとが備わっている。セグメントの外周傾斜面とコンテナリングの内周傾斜面とはスライド可能に係合されている。
【０００３】
昇降プレートを下方移動させることにより、セグメントがボトムプレートに載置された状態になる。この状態で、コンテナリングが下方移動することにより、昇降プレートとボトムプレートの上下間に挟まれたセグメントが、摺動しながら環状中心線に対して前進してセクタモールドが環状に組み付けられてタイヤモールドが閉型する。環状に組み付けられたセクタモールドは、コンテナリングが上方移動することにより、環状中心線に対して後退して開型状態になる（例えば、特許文献１参照）。
【０００４】
それぞれのセグメントは、昇降プレートに強く押圧されて昇降プレートとボトムプレートの上下間に挟まれた状態になるため、繰り返し摺動移動することにより摩耗が顕著になる。昇降プレートによる押圧力が大きい程、セグメントの摩耗量が大きくなり、変形も生じ易くなる。また、この押圧力が偏ってセグメントに作用するとセグメントに偏摩耗が生じる。このようにセグメントに摩耗や変形が生じると、閉型したタイヤモールドにずれが生じるため、加硫したタイヤに段差やバリが発生するという問題がある。また、昇降プレートの下面及びボトムプレートの上面のメタルプレートやコンテナリングの内周面のメタルプレートなどの摺動部材にも経時的に摩耗や変形が生じ、同様に問題になる。
【０００５】
さらに、昇降プレートに吊設されているセグメントがボトムプレートに載置される前の状態では、セグメントにはボトムプレートからの熱が伝わることがない。それ故、ボトムプレートからそれぞれのセクタモールドへの熱供給も遮断された状態になる。したがって、ボトムプレートを加熱していてもその熱エネルギがセクタモールドの加熱に有効に利用されずにロスが生じている。
【先行技術文献】
【特許文献】
【０００６】
【特許文献１】特開２００１−２６０２０号公報
【発明の概要】
【発明が解決しようとする課題】
【０００７】
本発明の目的は、構成部品の摩耗を低減するとともに、熱エネルギのロスを抑制できるタイヤ加硫用コンテナを提供することにある。
【課題を解決するための手段】
【０００８】
上記目的を達成するため本発明のイヤ加硫用コンテナは、環状に配置される複数のそれぞれのセクタモールドの外周面に取り付けられるセグメントと、上側サイドモールドが取り付けられる昇降プレートと、下側サイドモールドが取り付けられるボトムプレートと、上下移動するコンテナリングとを備え、前記昇降プレートと前記ボトムプレートの上下間に挟んだ状態のそれぞれの前記セグメントの外周傾斜面を、下方移動する前記コンテナリングの内周傾斜面により押圧することにより、それぞれの前記セクタモールドを、その環状中心線に対して前進させて閉型位置まで移動させて、これらセクタモールドを環状に組み付けてタイヤモールドを閉型する構成にしたタイヤ加硫用コンテナにおいて、それぞれの前記セグメントが常に前記ボトムプレートに載置された状態であり、これらセグメントを前記環状中心線に対して進退移動させるセグメント移動部を備えて、前記セグメント移動部が、前記ボトムプレートに形成されている埋設スペースに収容されていて上下移動する移動用シリンダと、前記移動用シリンダとそれぞれの前記セグメントの外周面と間に連結されるリンク機構とを備えて、前記リンク機構が、それぞれの前記セグメントの外周面に着脱自在で回転可能に連結されているアームと、このアームと前記移動用シリンダの間に配置されて前記移動用シリンダに回転可能に連結されているアームとを有し、前記移動用シリンダの上下移動に伴って前記リンク機構を介してそれぞれの前記セグメントを前記環状中心線に対して前進させることにより、それぞれの前記セクタモールドを仮閉型位置まで移動させて、それぞれの前記セグメントを前記昇降プレートと前記ボトムプレートの上下間に挟んだ状態にして、この状態のそれぞれの前記セグメントの外周傾斜面を、下方移動する前記コンテナリングの内周傾斜面により押圧してそれぞれの前記セクタモールドを前記閉型位置まで移動させる構成にしたことを特徴とする。
【発明の効果】
【０００９】
本発明によれば、タイヤモールドが開型している時も、それぞれの前記セグメントが常に前記ボトムプレートに載置された状態になっている。そのため、ボトムプレートからセグメントを通じてそれぞれのセクタモールドに熱が供給される。これにより、ボトムプレートからの熱エネルギをセクタモールドの加熱に有効利用することができる。
【００１０】
それぞれのセグメントをセグメント移動部を用いて移動させることで、それぞれのセクタモールドを仮閉型位置まで移動させる。そして、昇降プレートとボトムプレートの上下間に挟んだ状態のそれぞれのセグメントの外周傾斜面を、下方移動するコンテナリングの内周傾斜面により押圧して、それぞれのセクタモールドを閉型位置まで移動させて環状に組み付けてタイヤモールドを閉型する。即ち、コンテナリングとそれぞれのセグメントが接触して摺動するのは、セクタモールドが仮閉型位置と閉型位置の間を移動する時だけになる。また、コンテナリングに押圧されて、それぞれのセグメントが昇降プレートとボトムプレートに挟まれた状態で、それぞれのプレートに接触して摺動するのも、セクタモールドが仮閉型位置と閉型位置の間を移動する時だけになる。そのため、従来に比してセグメント、コンテナリング、昇降プレートおよびボトムプレートの摩耗を低減するには有利になる。
【図面の簡単な説明】
【００１１】
【図１】開型状態の本発明のタイヤ加硫用コンテナを例示する左半分縦断面図である。
【図２】図１のセクタモールド、セグメントおよび下側サイドモールドを平面視で例示する説明図である。
【図３】図１のセクタモールドを仮閉型位置に移動させた状態のタイヤ加硫用コンテナを例示する左半分縦断面図である。
【図４】図３のセクタモールドを閉型位置に移動させて閉型した状態のタイヤ加硫用コンテナを例示する左半分縦断面図である。
【発明を実施するための形態】
【００１２】
以下、本発明のタイヤ加硫用コンテナを図に示した実施形態に基づいて説明する。
【００１３】
図１、図２に例示するように、本発明のタイヤ加硫用コンテナ１（以下、コンテナ１という）には、セクショナルタイプのタイヤモールドが設置される。このタイヤモールドは、環状に配置されてタイヤトレッドを成形する複数（例えば、８個程度）のセクタモールド１１、タイヤサイドウォールを成形する環状の上側サイドモールド１２ａおよび下側サイドモールド１２ｂを備えている。図中の一点鎖線ＣＬは、環状に配置されたセクタモールド１１の環状中心線を示している。タイヤモールドの中にはグリーンタイヤが配置される。本願の図面ではグリーンタイヤは省略して記載していない。
【００１４】
このコンテナ１は加硫機に設置されていて中心機構８が内部に配置されている。中心機構８には上下に間隔をあけて取り付けられたそれぞれの保持プレート１０、１０によって筒状の加硫用ブラダ９の上縁部、下縁部が保持されている。
【００１５】
コンテナ１は、それぞれのセクタモールド１１の外周面に取り付けられるセグメント３と、上側サイドモールド１２ａが取り付けられる昇降プレート４と、下側サイドモールド１２ｂが取り付けられるボトムプレート５と、上下移動するコンテナリング２と、セグメント移動部６とを備えている。昇降プレート４、ボトムプレート５およびコンテナリング２が熱源となってタイヤモールドを加熱する。
【００１６】
昇降プレート４とコンテナリング２とは、油圧シリンダ等によりそれぞれ独立別個に上下移動する。それぞれのセグメント３は、下方に向かって外周側に広がって傾斜している外周傾斜面を有している。また、コンテナリング２は、下方に向かって外周側に広がって傾斜している内周傾斜面を有している。
【００１７】
それぞれのセグメント３は常にボトムプレート５に載置された状態になっている。これらセグメント３は、セグメント移動部６によってボトムプレート５上で環状中心線ＣＬに対して進退移動する。セグメント移動部６は、上下移動する移動用シリンダ６ａと、この移動用シリンダ６ａとそれぞれのセグメント３との間に連結されるリンク機構を構成する複数のアーム６ｂ、６ｃとを備えている。
【００１８】
セグメント移動部６を詳述すると、移動用シリンダ６ａに回転可能に連結されているアーム６ｂがボトムプレート５に固定されている固定軸６ｄに回転可能に連結されている。また、固定軸６ｄに回転可能に連結されている別のアーム６ｃがセグメント３の外周面に着脱自在で回転可能に連結されている。移動用シリンダ６ａの上下移動に伴って、一方のアーム６ｂが固定軸６ｄを中心にして回転し、この回転に連動して他方のアーム６ｃが固定軸６を中心にして回転するリンク機構になっている。他方のアーム６ｃが固定軸６を中心にして回転すると、セグメント３が環状中心線ＣＬに対して進退移動する。このようにセグメント移動部６は比較的簡素な構成であり、セグメント３のそれぞれに対して設けられている。
【００１９】
この実施形態では、移動用シリンダ６ａがボトムプレート５に形成されている埋設スペース７に収容されている。したがって、セグメント３と同じ数の埋設スペース７がボトムプレート５に設けられている。このように埋設スペース７を設けて、移動用シリンダ６ａを収容することで、コンテナ１をコンパクトにし易くなる。
【００２０】
一方のアーム６ｂも埋設スペース７に収容されていて、他方のアーム６ｃは、埋設スペース７から上方に突出している。中心機構８の下方に１つの移動用シリンダ６ａを設けて、この１つの移動用シリンダ６ａに、それぞれのセグメント３に対応するアーム６ｂを回転可能に連結した構成にすることもできる。この構成により、それぞれのセグメント３（セクタモールド１１）を同期して移動させ易くなる。
【００２１】
それぞれのセグメント３の外周傾斜面は、コンテナリング２の内周傾斜面に摺動可能になっている。下方移動するコンテナリング２の内周傾斜面が、それぞれのセグメント３の外周傾斜面を押圧することで、セグメント３とともにそれぞれのセクタモールド１１が環状中心線ＣＬに対して前進移動する構成になっている。
【００２２】
以下、開型状態のタイヤモールドを閉型して、グリーンタイヤを加硫する工程を説明する。
【００２３】
グリーンタイヤを加硫するには、図１、図２に例示するようにコンテナリング２および昇降プレート４を上方の待機位置に待機させておき、それぞれのセクタモールド１１を開型位置に待機させておく。また、上側の保持プレート１０を上方の待機位置に待機させておいて、加硫用ブラダ９を収縮させておく。このようにタイヤモールドが開型した状態で、下側サイドモールド１２ｂの上にグリーンタイヤを横置き状態でセットする。
【００２４】
次いで、図３に例示するように、移動用シリンダ６ａを下方移動させて、セグメント移動部６のリンク機構によって、それぞれのセグメント３を環状中心線ＣＬに対して前進させる。これにより、それぞれのセクタモールド１１を開型位置から仮閉型位置まで移動させる。開型位置から仮閉型位置までの距離は、開型位置から閉型位置までの距離に対して例えば８５％〜９５％程度である。
【００２５】
また、昇降プレート４を所定位置まで下方移動させて、仮閉型位置に移動させたそれぞれのセグメント３の上面に当接させる。これにより、それぞれのセグメント３を昇降プレート４とボトムプレート５の上下間に挟んだ状態にする。この状態では、それぞれのセグメント３、上側サイドモールド１２ａおよび下側サイドモールド１２ｂによって、グリーンタイヤが概ね囲まれている。
【００２６】
次いで、図４に例示するようにコンテナリング２を下方移動させる。これにより、それぞれのセグメント３の外周傾斜面を、コンテナリング２の内周傾斜面により押圧する。これに伴い、それぞれのセグメント３を環状中心線ＣＬに対してさらに前進させて、それぞれのセクタモールド１１を仮閉型位置から閉型位置まで移動させる。閉型位置に移動したそれぞれのセグメント３は環状に組み付けられる。それぞれのセグメント３、上側サイドモールド１２ａおよび下側サイドモールド１２ｂによって、グリーンタイヤが完全に囲まれてタイヤモールドが閉型、型締めされる。
【００２７】
次いで、グリーンタイヤは、型締めされたタイヤモールドの中で膨張させた加硫用ブラダ９によって内側から押圧されて所定温度、所定圧力の条件下で所定時間加硫される。その後、タイヤモールドを開型して加硫したタイヤを取り出す。タイヤモールドを開型する手順は、閉型する手順と逆の手順を行えばよい。
【００２８】
上述した本発明によれば、それぞれのセグメント３が常に熱源となるボトムプレート５に載置された状態にされている。そのため、タイヤモールドが開型していても、ボトムプレート５からはそれぞれのセグメント３を通じて、それぞれのセクタモールド１１に熱が供給される。これにより、ボトムプレート５からの熱エネルギを無駄なく、セクタモールド１１の加熱に有効利用できるようになっている。
【００２９】
それぞれのセグメント３は、セグメント移動部６を用いて移動させることで、それぞれのセクタモールド１１を開型位置から仮閉型位置まで移動させる。これにより、コンテナリング２がそれぞれのセグメント３に接触して互いに摺動するのは、セクタモールド１１が仮閉型位置と閉型位置との間を移動する時だけになる。
【００３０】
また、それぞれのセグメント３が、昇降プレート４とボトムプレート５の上下間に挟まれた状態で昇降プレート４およびボトムプレート５と接触して摺動するのは、セクタモールド１１が仮閉型位置と閉型位置の間を移動する時だけになる。
【００３１】
このように、それぞれのセグメント３が、コンテナリング２、昇降プレート４およびボトムプレート５と摺動する機会が、従来に比して極めてわずかな機会に限定される。これに伴い、従来に比してセグメント３、コンテナリング２、昇降プレート４およびボトムプレート５の摩耗を低減するには非常に有利になる。これにより、これら構成部品の耐用期間を長くすることができる。
【００３２】
また、型締めされたタイヤモールドにはセグメント３の摩耗や変形に起因するずれが生じ難くなる。これに伴い、タイヤモールドのずれによる段差やバリがない品質の優れたタイヤを得ることができる。
【００３３】
さらに、本発明では、セグメント３およびセクタモールド１１が常にボトムプレート５に載置されている。それ故、重量物であるセグメント３およびセクタモールド１１を昇降プレート４に吊設する場合に比して、昇降プレート４を上下移動させるためのエネルギを削減するにも有利である。
【符号の説明】
【００３４】
１  タイヤ加硫用コンテナ
２  コンテナリング
３  セグメント
４  昇降プレート
５  ボトムプレート
６  セグメント移動部
６ａ  移動用シリンダ
６ｂ、６ｃ  アーム
６ｄ  固定軸
７  埋設スペース
８  中心機構
９  加硫用ブラダ
１０  保持プレート
１１  セクタモールド
１２ａ  上側サイドモールド
１２ｂ  下側サイドモールド
ＣＬ  セクタモールドの環状中心線
【図１】
0006790469.tif 000002
【図２】
0006790469.tif 000003
【図３】
0006790469.tif 000004
【図４】
0006790469.tif 000005